(57)【要約】【課題】各軸位置に軸ずれが起きた時に、軸ずれが起きた側の光ファイバを表示によって容易に知ることができるようにする。【解決手段】光軸方向に光ファイバ３の接続端面３ａを突合せて配置する左右一対のファイバ位置決め手段５と、前記光ファイバ３の配列面と直交する方向から軸ずれを検出する撮像手段７とを有し、  前記撮像手段７によって、前記左右のファイバ位置決め手段５に接続端面を突合せた状態で光ファイバ３をセットした時、その軸位置に軸ずれが起きたいずれか一方を、又は両方をそれぞれ数値で、あるいは、メッセージで画面表示して知らせるようにする。【選択図】図１
2006308683.tif 000002
【特許請求の範囲】
【請求項１】
光軸方向に光ファイバの接続端面を突合せて配置する左右一対のファイバ位置決め手段と、前記光ファイバの配列面と直交する方向から軸ずれを検出する撮像手段とを有し、
前記撮像手段は、前記左右のファイバ位置決め手段に接続端面を突合せた状態で光ファイバをセットした時、その軸位置に軸ずれが起きたいずれか一方を、又は両方をそれぞれ数値で、あるいは、メッセージで画面表示して知らせることを特徴とする光ファイバの軸ずれ検出装置。
【請求項２】
光軸方向に光ファイバの接続端面を突合せて配置する左右一対のファイバ位置決め手段と、前記光ファイバの配列面と直交する方向から軸ずれを検出する撮像手段とを有し、
前記撮像手段は、前記左右のファイバ位置決め手段に接続端面を突合せた状態で光ファイバをセットした時、左右の相対的な軸ずれ量が許容範囲を越えた場合にのみ軸位置からの軸ずれを起こしている側の光ファイバを画面表示で知らせることを特徴とする光ファイバの軸ずれ検出装置。
【発明の詳細な説明】
【技術分野】
【０００１】
本発明は光軸方向に光ファイバの接続端面を突合せて一体に結合する際に、各光ファイバの軸ずれを検出する光ファイバの軸ずれ検出装置に関する。
【背景技術】
【０００２】
光軸方向に光ファイバの接続端面を突合せてセットし一体に結合する際、光ファイバの軸位置に軸ずれが起きると接続損失を招くところから、各軸位置の軸ずれを軸ずれ検出装置により検出する。この検出は、各軸位置の軸ずれを相対関係によってみる手段となっており、許容範囲を越えた軸ずれにあると表示された場合には各光ファイバを再度セットし直し、再び軸ずれ検出作業を行なうもので、その軸ずれ量が許容範囲内に収まるまで検出作業を繰返し行なうようになる。
【特許文献１】特開平１−２１７３０６号公報
【発明の開示】
【発明が解決しようとする課題】
【０００３】
光軸方向に光ファイバの接続端面を突合せてセットした時に各軸位置に軸ずれが起きる要因としては、光ファイバをセットするセット部、あるいは光ファイバのいずれかに、あるいは両方同時に付着する埃やゴミ等があげられる。軸ずれの許容範囲はマイクロ単位と小さいために埃やゴミ等の付着があると軸ずれとなってあらわれる。
【０００４】
各種位置の軸ずれは、相対関係によって判断される手段となっているため、その軸ずれの要因が片側のみにあったとしても、軸ずれありと検出装置によって表示されると、光ファイバをセットする左右のセット部から埃やゴミ等を取除くと共に、光ファイバの接続端面を新たに露出させる等、必ず左右のセット部及び左右の光ファイバをそれぞれきれいにして再度セットし直し、再び軸ずれ検出作業に入る動作を許容範囲内に軸ずれが収まるまで繰返し行なうようになる。
【０００５】
このため、各光ファイバの位置合せ作業が大変面倒で作業のネックとなっていたものである。
【０００６】
そこで、本発明にあっては、各軸位置に軸ずれが起きても簡単に位置合せ作業が完了できる光ファイバの軸ずれ検出装置を提供することを目的としている。
【課題を解決するための手段】
【０００７】
前記目的を達成するために、本発明にあっては、第１に、光軸方向に光ファイバの接続端面を突合せて配置する左右一対のファイバ位置決め手段と、前記光ファイバの配列面と直交する方向から軸ずれを検出する撮像手段とを有し、
前記撮像手段は、前記左右のファイバ位置決め手段に接続端面を突合せた状態で光ファイバをセットした時、その軸位置に軸ずれが起きたいずれか一方を、又は両方をそれぞれ数値で、あるいは、メッセージで画面表示して知らせることを特徴とする。
【０００８】
第２に、光軸方向に光ファイバの接続端面を突合せて配置する左右一対のファイバ位置決め手段と、前記光ファイバの配列面と直交する方向から軸ずれを検出する撮像手段とを有し、
前記撮像手段は、前記左右のファイバ位置決め手段に接続端面を突合せた状態で光ファイバをセットした時、左右の相対的な軸ずれ量が許容範囲を越えた場合にのみ軸位置からの軸ずれを起こしている側の光ファイバを画面表示で知らせることを特徴とする。
【発明の効果】
【０００９】
第１の発明によれば、各軸位置に軸ずれが起きると、その軸ずれが起きた一方を撮像手段による画面表示によって知らせてくれるため、画面表示された片側のみセットし直しすればよく、軸ずれ時の再検出作業を迅速に行なうことができる。
【００１０】
この場合、各軸位置の軸ずれが両方同時に画面表示される時もあるが、一般には片側の光ファイバ側に起因した軸ずれとなることが多いため、検出作業にあたってさほど支障は起きない。
【００１１】
また、第２の発明によれば、各光ファイバに軸ずれが起きても許容範囲を越えた軸ずれ側の光ファイバのみ画面表示で知らせてくれるため、画面表示で知らせてくれた片側のみセットし直しすればよく、軸ずれ時の再検出作業を迅速に行なうことができる。
【発明を実施するための最良の形態】
【００１２】
本発明にあっては、各軸位置に軸ずれが発生した時にその軸ずれを表示するという目的を、撮像手段によって軸ずれを起こした光ファイバ側のみ画面表示によって知らせることで達成するようにした。
【実施例】
【００１３】
以下、図１乃至図５の図面を参照しながら本発明の実施形態について具体的に説明する。
【００１４】
図１は光ファイバの軸ずれ検出装置全体の概要説明図を示したものである。
【００１５】
光ファイバの軸ずれ検出装置１は、各光ファイバ３の接続端面３ａを突合わせて配置する左右一対のファイバ位置決め手段５と、前記光ファイバ３の配列面と直交する方向から軸ずれを検出する撮像手段７とを有している。
【００１６】
ファイバ位置決め手段５は、左右一対の固定セット部９にＶ溝１１がそれぞれ設けられた構造となっている。各Ｖ溝１１は、高い精度の仕上面に形成されると共に同一軸線Ｘ上に配置され、各Ｖ溝１１に光ファイバ３を上からセットすることで、光ファイバ３はＶ溝１１の傾斜面に沿って下降し、正しく位置決めされるようになっている。
【００１７】
撮像手段７は、光ファイバ３の配列面と直交する下方位置から９０度の角度をもって配置された一対の対物レンズ１３を介して前記光ファイバ３を撮像素子１５として捉える。その時の光ファイバ３の各軸位置情報は画像処理部１７によって演算処理された後、その処理結果に基づき各光ファイバ３の軸位置の軸ずれ量をモニタ表示装置１９の画面表示部２１によって数値で、又は、メッセージで表示するようになっている。
【００１８】
対物レンズ１３及び撮像素子１５は、光ファイバ３の配列面に対して下方位置から９０度の角度をもってそれぞれ別々の方向から光ファイバ３をみることで、上下、左右、斜めの各軸ずれを確実に捉えることが可能となり、一つに合成された軸位置情報として画像処理部１７に入力されるようになっている。
【００１９】
画像処理部１７は、図４に示すように左右一対のファイバ位置決め手段５となるＶ溝１１に、例えば、基準のモノサシとなるメジャ２３をセットすることで、その時の基準値が基準位置情報として記憶され、撮像素子１５から軸位置情報が入力されると、その軸位置情報と前記基準位置情報とを比較検討することで各軸位置の軸ずれを軸ずれ情報としてモニタ表示装置１９へそれぞれ出力するようになっている。
【００２０】
各軸位置の軸ずれ情報は、右側の光ファイバ３の軸ずれを軸ずれ情報として左側の光ファイバ３の軸ずれを軸ずれ情報としてそれぞれ独立した軸ずれ情報となっているが、各光ファイバ３同志の相対的な軸ずれ量を軸ずれ情報として出力することも可能である。例えば、図５に示す如く前記基準位置情報をベースとして左右の光ファイバ３のファイバ軸心ａ，ｂの相対的な軸ずれ量をみて、その軸ずれ量が許容範囲Ｄ内に収まっている時には軸ずれなしと判断して軸ずれ情報は出力しない。
【００２１】
一方、軸ずれ量が仮想線で示すように許容範囲Ｄの外にある時には軸ずれありと判断し、図面右側のみ軸ずれ情報として出力する手段としてもよい。
【００２２】
モニタ表示装置１９は、前記画像処理部１７からの軸ずれ情報に基づき、例えば、図２に示すように点線で示した光ファイバ３−１の基準位置に対してその軸ずれ量を実線３の如く画像表示する一方、その数値を画面表示するようになっている。
【００２３】
この場合、画像表示される数値は、許容範囲を越えたものだけを表示するようにしてもよく、あるいは許容範囲に左右されることなく同時に表示するようにしてもよい。特に、同時に表示する後者にあっては、軸ずれ量が許容範囲を越えているものを赤で表示させる等、作業者が視覚によってすぐに判断できるようにすることが望ましい。
【００２４】
また、軸ずれ量を数値で示さずに、図３に示すように許容範囲を越えた側の光ファイバ３のみエラー表示Ｒ等によるセッセージで作業者に知らせるようにすることも可能である。
【００２５】
このように構成された光ファイバの軸ずれ検出装置１によれば、左右一対のファイバ位置決め手段５に対して光軸方向に光ファイバ３の接続端面３ａを突合せてセットした時に、各軸位置に軸ずれが起きると、その軸ずれが起きたいずれか一方の光ファイバ３を画面表示によって知らせてくれる。
【００２６】
したがって、画面表示された片側の光ファイバ３を取り外してＶ溝１１をきれいにした後、光ファイバ３自体も新しく露出させてゴミや埃を確実に取除きセットし直しすればよい。特に、そのやり直し作業は片側だけで済むため、両方同時に行なう作業手段に比べて迅速に再検出作業に入ることができるようになり、作業性の大幅な向上が望める。
【図面の簡単な説明】
【００２７】
【図１】本発明に係る光ファイバの軸ずれ検出装置全体の概要説明図。
【図２】軸ずれ量を画面表示部に数値として示した説明図。
【図３】軸ずれ量を画面表示部にメッセージで示した説明図。
【図４】画像処理部内に基準値情報を入力させる説明図。
【図５】左右の光ファイバのファイバ軸心の軸ずれ状態を示した説明図。
【符号の説明】
【００２８】
３    光ファイバ
３ａ    接続端面
５    光ファイバ位置決め手段
７    撮像手段
１１    Ｖ溝
１３    対物レンズ
１５    撮像素子
１７    画像処理部
１９    軸ずれ表示装置
２１    画面表示部
【図１】
2006308683.tif 000003
【図２】
2006308683.tif 000004
【図３】
2006308683.tif 000005
【図４】
2006308683.tif 000006
【図５】
2006308683.tif 000007